(57)【特許請求の範囲】
【請求項１】
少なくとも１の楽曲に対応したオーディオ信号の録音を行うオーディオ信号録音装置であって、
前記オーディオ信号を所定時間だけ遅延させて遅延オーディオ信号を得る遅延手段と、
録音開始から前記所定時間が経過するまでの間は前記遅延オーディオ信号を無音とした信号をミュート出力信号とし、前記録音開始から前記所定時間経過後においては前記遅延オーディオ信号自体を前記ミュート出力信号として出力するミュート手段と、
前記録音開始から前記所定時間が経過するまでの間に亘りインデックスナンバー信号を「０」としたサブコード信号を生成する手段と、
前記ミュート出力信号をメインコード信号として前記サブコード信号と組み合わせてＣＤフォーマット化して記録媒体に記録する記録手段とを有することを特徴とするオーディオ信号録音装置。
【請求項２】
少なくとも１の楽曲に対応したオーディオ信号及びサブコード信号を記録媒体に記録するオーディオ信号録音装置であって、
前記オーディオ信号が供給されたことを判定する判定手段と、
供給された前記オーディオ信号を遅延する遅延手段と、
前記判定手段によりオーディオ信号が供給されたと判定された場合に、曲間部分を示す前記サブコード信号及び無音状態に対応したオーディオ信号を前記記録媒体に記録すると共にそのサブコード信号の記録開始時点から遅れて、前記遅延手段にて遅延された前記オーディオ信号及び当該オーディオ信号に対応したサブコード信号の前記記録媒体への記録を開始させるべく制御する制御手段と、を有することを特徴とするオーディオ信号録音装置。
【請求項３】
前記制御手段は、前記曲間部分を示す前記サブコード信号及び無音状態に対応したオーディオ信号を所定時間分だけ前記記録媒体に記録させた後、前記遅延手段にて遅延された前記オーディオ信号及び当該オーディオ信号に対応したサブコード信号の前記記録媒体への記録を開始させるべく制御することを特徴とする請求項２記載のオーディオ信号録音装置。
【請求項４】
前記記録媒体がＣＤ−Ｒであり、かつ前記曲間を示す前記サブコード信号がインデックスナンバー「０」であることを特徴とする請求項２乃至３に記載のオーディオ信号録音装置。
【請求項５】
前記制御手段は前記オーディオ信号と前記サブコード信号を組み合わせてＣＤフォーマット化した信号を記録することを特徴とする請求項２乃至４に記載のオーディオ信号録音装置。
【請求項６】
前記判定手段は前記オーディオ信号と共に供給される前記サブコード信号に基づいて前記オーディオ信号が供給されたか否かの判定を行うことを特徴とする請求項２乃至５に記載のオーディオ信号録音装置。
【請求項７】
少なくとも１の楽曲に対応したオーディオ信号及びサブコード信号を記録媒体に記録するオーディオ信号録音方法であって、
前記オーディオ信号が供給されたことを判定する判定行程と、
供給された前記オーディオ信号を遅延する遅延行程と、
前記判定行程によりオーディオ信号が供給されたと判定された場合に、曲間部分を示す前記サブコード信号及び無音状態に対応したオーディオ信号を前記記録媒体に記録すると共にそのサブコード信号の記録開始時点から遅れて、前記遅延行程にて遅延された前記オーディオ信号及び当該オーディオ信号に対応したサブコード信号の前記記録媒体への記録を開始させるべく制御する制御行程と、を有することを特徴とするオーディオ信号録音方法。
【発明の詳細な説明】
【０００１】
【産業上の利用分野】
本発明は、オーディオ信号の録音を行う録音装置および録音方法に関する。
【０００２】
【従来の技術】
ＣＤ（Compact Disc）、ＭＤ（Mini Disc）及びＤＡＴ（Digital Audio Tape）等にて作成される音楽ソフトにおいては、各曲に応じたオーディオ信号の他に、曲番を示すトラックナンバー信号、さらに１曲を細分化した曲小節を示すインデックスナンバー信号等がサブコード情報として記録されている。
【０００３】
かかる音楽ソフトを演奏する演奏装置、例えばＣＤプレーヤにおいては、ディスクからオーディオ信号を読み取ると共に、上述のサブコード情報からトラックナンバー信号を読み取り、これにより曲番を認識して任意の曲の頭出しが行えるようになされている。さらに、かかるサブコード情報からインデックスナンバー信号を読み取ることにより、１曲中に存在する曲小節を認識して任意の曲小節の頭出しが行えるようにもなされている。かかるインデックスナンバー信号は、曲が記録されていない無音部分、すなわち曲間部分は「０」に設定されており、曲の第１小節の開始により「１」となり、それ以降、曲の小節が変わる毎に１ずつ増加した信号が記録されている。ＣＤプレーヤは、使用者からのインデックスサーチ要求に応じてかかるインデックスナンバー信号の変化点を検出し、これにより任意の曲小節の頭部分を探索する。
【０００４】
従って、上述の如き音楽ソフトから曲のダビングを行うＣＤ−Ｒ（Compact Disc Recordable）の如き録音装置においても、オーディオ信号と共に、トラックナンバー信号及びインデックスナンバー信号等からなるサブコード情報をも記録媒体に記録するようになされている。
図１に、かかるダビングを実行するための構成の一例を示す。
【０００５】
図において、ソース側としてのＣＤプレーヤ１は、音楽ソフトＣＤの演奏を行い、各曲に応じたオーディオ信号と共にサブコード信号をも読み取りこれを録音装置としてのＣＤ−Ｒ（Compact Disc Recordable）レコーダ２に供給する。ＣＤ−Ｒレコーダ２は、かかるオーディオ信号及びサブコード信号を変調し、この変調信号を光ビームに変換して記録媒体としての記録ディスクに照射して記録を行う。すなわち、ＣＤ−Ｒレコーダ２により記録が成された記録ディスクには、ソース側の音楽ソフトＣＤと同一のオーディオ信号及びサブコード信号が記録されることになる。
【０００６】
しかしながら、例えば、ソース側からの曲の供給に応じて自動的に録音を開始する自動録音機能を用いてダビングを行うと、この最初に供給される曲の前に存在する無音部分に応じたサブコード信号、すなわち曲間部分に応じたサブコード信号は記録ディスクに記録されない。よって、この際、かかる記録ディスクには、インデックスナンバー信号として曲間を示す「０」は記録されず、曲の第１小節を示す「１」がいきなり記録されてしまう。
【０００７】
従って、かかる記録方法にてオーディオ信号及びインデックスナンバー信号が記録されたディスクにてインデックスサーチを行うと、インデックスナンバー信号の「０」から「１」への変化点は検出することが出来ないので、任意の曲の第１小節の頭出しを行うことが出来ないという問題が発生した。
【０００８】
【発明が解決しようとする課題】
本発明はかかる問題を解決すべくなされたものであり、録音開始時においても曲間を示すインデックスナンバー信号の記録を行うことが出来るオーディオ信号録音装置およびオーディオ信号録音方法を提供することを目的とする。
【０００９】
【課題を解決するための手段】
本発明によるオーディオ信号録音装置は、少なくとも１の楽曲に対応したオーディオ信号の録音を行うオーディオ信号録音装置であって、前記オーディオ信号を所定時間だけ遅延させて遅延オーディオ信号を得る遅延手段と、録音開始から前記所定時間が経過するまでの間は前記遅延オーディオ信号を無音とした信号をミュート出力信号とし、前記録音開始から前記所定時間経過後においては前記遅延オーディオ信号自体を前記ミュート出力信号として出力するミュート手段と、前記録音開始から前記所定時間が経過するまでの間に亘りインデックスナンバー信号を「０」としたサブコード信号を生成する手段と、前記ミュート出力信号をメインコード信号として前記サブコード信号と組み合わせてＣＤフォーマット化して記録媒体に記録する記録手段とを有する。
【００１０】
【作用】
ソース側から供給された録音用オーディオ信号を所定時間だけ遅延させて遅延オーディオ信号を得て、録音開始に応じてかかる録音開始から上述の所定時間の間に亘り、遅延オーディオ信号にミュートを掛けてこれを記録媒体に記録すると共に、かかる所定時間の間に亘りインデックスナンバー信号を「０」としたサブコード信号を記録媒体に記録する。
【００１１】
【実施例】
図２に、本発明によるオーディオ信号録音装置の構成を示す。
図において、ソース側から供給されたディジタル信号は、入力回路２０に供給される。入力回路２０は、供給されたディジタル信号から、各曲に対応したオーディオ信号（ａ）を抽出してこれを遅延回路２１に供給する。さらに、入力回路２０は、供給されたディジタル信号から、サブコード信号を抽出してこれを遅延回路２１に供給する。遅延回路２１は、供給されたオーディオ信号（ａ）を時間Ｔ1だけ遅延させて、これを遅延オーディオ信号（ｂ）としてミュート回路２３に供給する。ミュート回路２３は、ＣＰＵバス２２を介して供給されるミュート制御信号（ｃ）がミュートオン要求信号である場合はこれに応じてミュート動作を開始する。これにより、ミュート回路２３は遅延オーディオ信号（ｂ）に対してミュートを掛けて無音状態と同一の無音信号に変換し、これをミュート出力信号（ｄ）としてエンコーダ２４に供給する。又、ミュート回路２３は、かかるミュート制御信号（ｃ）がミュートオフ信号である場合はこれに応じてミュート動作を解除し、遅延オーディオ信号（ｂ）をそのままミュート出力信号（ｄ）としてエンコーダ２４に中継供給する。
【００１２】
エンコーダ２４は、かかるミュート出力信号（ｄ）をメインコード信号としてこれをＣＰＵバス２２から供給されたサブコード信号（ｅ）と組み合わせてＣＤフォーマット化した信号を得てこの信号を変調した変調信号（ｆ）を記録ユニット２５に供給する。記録ユニット２５は、録音用記録媒体としての記録ディスク２５ａ、記録ディスク２５ａを回転駆動せしめるスピンドルモータ２５ｂ、及び、変調信号（ｆ）を光ビームに変換してこれを記録ディスク２５ａに照射する光ヘッド２５ｃから構成される。かかる光ヘッド２５ｃから照射される光ビームにより、変調信号（ｆ）が記録ディスク２５ａに記録される。遅延カウンタ２６は、ＣＰＵバス２２から供給されるカウンタスタート命令信号に応じてカウント動作を開始して、この際のカウント値ＴをＣＰＵバス２２に送出する。操作手段２７は、使用者からの操作指示に応じた動作要求信号をＣＰＵバス２２に送出する。例えば、操作手段２７は、使用者からの録音操作指示に応じて録音動作要求信号をＣＰＵバス２２に送出する。ＣＰＵ（Central Processing Unit）２９は、ＲＯＭ（ReadOnly Memory）２８に記憶されている動作手順に従って、上述の如き構成からなる録音装置の各種動作制御をＣＰＵバス２２を介して実行する。
【００１３】
次に、かかる本発明のオーディオ信号録音装置による録音動作を、図３及び図４を参照しつつ説明する。
先ず、操作手段２７は、使用者からの録音指示に応じて録音動作要求信号をＣＰＵバス２２に送出する。ＣＰＵ２９は、かかる録音動作要求信号に応じて、記録ユニット２５を録音ポーズ状態とすべき制御信号をＣＰＵバス２２に送出する。次に、ＣＰＵ２９は、入力回路２０からＣＰＵバス２２を介して供給されるサブコード信号を読み取り、これにより、録音用の第１曲目に応じたオーディオ信号（ａ）がソース側から供給されたか否かを判定する。この際、図３の如く、かかるオーディオ信号（ａ）がソース側から供給されたと判定すると、ＣＰＵ２９は、図４に示されるが如き初期録音サブルーチンにその動作制御を移行する。
【００１４】
かかる初期録音サブルーチンの実行開始により、先ず、ＣＰＵ２９は、ミュート制御信号（ｃ）としてミュートオン要求信号をＣＰＵバス２２を介してミュート回路２３に供給する（ステップＳ１）。ミュート回路２３は、かかるミュートオン要求信号に応じてミュート動作を開始し、無音状態に対応した信号をミュート出力信号（ｄ）としてエンコーダ２４に供給する。次に、ＣＰＵ２９は、インデックスナンバー信号を「０」としたサブコード信号（ｅ）を生成し、これをＣＰＵバス２２を介してエンコーダ２４に送出する（ステップＳ２）。次に、ＣＰＵ２９は、録音開始命令信号をＣＰＵバス２２を介して録音ユニット２５に送出する（ステップＳ３）。これにより、録音ユニット２５は、録音ポーズ状態を解除して録音動作を開始する。次に、ＣＰＵ２９は、カウンタスタート命令信号をＣＰＵバス２２を介して遅延カウンタ２６に送出する（ステップＳ４）。これにより、遅延カウンタ２６はカウント動作を開始し、この際のカウント値ＴをＣＰＵバス２２に送出する。次に、ＣＰＵ２９は、遅延カウンタ２６のカウント値Ｔが時間Ｔ2に対応する値を越えるまで、このカウント値Ｔと時間Ｔ2との比較判定を行う（ステップＳ５）。尚、かかる時間Ｔ2は、遅延回路２１の遅延時間Ｔ1よりも若干小なる値を採る。
【００１５】
以上の如き、ステップＳ５の実行中において、無音状態に対応したミュート出力信号（ｄ）及びインデックスナンバー信号「０」のサブコード信号（ｅ）が夫々エンコーダ２４に供給される。よって、この際、記録ディスク２５ａには、かかる無音状態に対応した信号及びインデックスナンバー信号「０」のサブコード信号にてＣＤフォーマット化された信号が変調された変調信号（ｆ）が記録される。ステップＳ５において、遅延カウンタ２６のカウント値Ｔが時間Ｔ2を越えたと判定されると、ＣＰＵ２９は、インデックスナンバー信号を「１」としたサブコード信号（ｅ）を生成し、これをＣＰＵバス２２を介してエンコーダ２４に送出する（ステップＳ６）。次に、ＣＰＵ２９は、ミュート制御信号（ｃ）としてミュートオフ要求信号をＣＰＵバス２２を介してミュート回路２３に供給する（ステップＳ７）。ミュート回路２３は、かかるミュートオフ要求信号に応じてミュート動作を停止する。
【００１６】
かかる動作の終了後に、第１曲目に対応した遅延オーディオ信号（ｂ）がミュート回路２３に供給される。よって、この際、第１曲目に対応した遅延オーディオ信号がそのままミュート出力信号（ｄ）としてエンコーダ２４に供給され、これと共にインデックスナンバー信号「１」のサブコード信号（ｅ）がエンコーダ２４に供給される。これにより、記録ディスク２５ａには、かかる第１曲目に対応した遅延オーディオ信号及びインデックスナンバー信号「１」のサブコード信号にてＣＤフォーマット化された信号が変調された変調信号（ｆ）が記録される。
【００１７】
尚、上記実施例においては、遅延カウンタ２６を用いて時間Ｔ2の測定を行っているが、供給されたサブコード信号中のフレーム数をＣＰＵ２９がカウントすることによりかかる時間Ｔ2の測定を行っても構わない。
ＣＰＵ２９は、ステップＳ７の終了後、以上の如き初期録音サブルーチンを抜けて通常の録音動作実行ルーチンに戻る。
【００１８】
かかる通常の録音動作実行ルーチンにおいては、ミュートされていない遅延オーディオ信号（ｂ）がそのままミュート出力信号（ｄ）としてエンコーダ２４に供給されると共に、ＣＰＵ２９は、ソース側から供給されたサブコード信号をそのままサブコード信号（ｅ）としてエンコーダ２４に供給する。この通常の録音動作により、ソース側の音楽ソフトＣＤに記録されているオーディオ信号及びサブコード信号がそのまま記録ディスク２５ａに記録されていく。
【００１９】
以上の如く、本発明によるオーディオ信号録音装置においては、かかる通常の録音動作実行の前に、上述の如き初期録音サブルーチンを実行して図３の如き無音状態信号及びインデックスナンバー信号「０」のサブコード信号を生成し、これらをソース側から供給された第１曲目のオーディオ信号の前に記録するようにしている。よって、本発明によれば、録音開始と同時にソース側からオーディオ信号が供給されても、かかるオーディオ信号の前に、インデックスナンバー信号「０」の曲間部分（無音状態）を自動的に記録することが出来るのである。
【００２０】
又、本発明によるオーディオ信号録音装置においては、図２の如く、録音の信号ラインに遅延回路２１を設けているので、ソース側の信号供給タイミングよりも所定時間遅れたタイミングにて記録ディスクへの録音が行われる。よって、使用者が録音を開始した後にミス録音に気づき、かかる遅延回路２１の遅延時間内に録音停止を行えば、例えソース側から曲に対応した信号が供給された後であってもかかる信号が記録ディスクに記録されることはない。従って、ミス録音を防止する事が出来るのである。
【００２１】
又、ＣＤ及びＣＤ−Ｒのサブコード信号内には、上述の如きインデックスナンバー信号の他に著作権保護のためのコピービット信号が記録されている。録音装置はダビング動作にあたり、先ず、ソース側から供給されたサブコード信号中からコピービット信号を検出し、かかるコピービット信号がコピー禁止を示すものであるか否かを判定する。この際、コピー禁止を示すものであると判定された場合、録音装置はかかるコピー禁止の対象となった曲の録音は行ってはならない。ここで、図２にて示される遅延回路２１の遅延時間を、コピービットの検出、判定にかかる時間よりも長く設定すれば、このコピービットの検出及び判定終了前に、コピー禁止対象となった曲の録音がなされてしまうというトラブルを防止することが出来る。
【００２２】
【発明の効果】
以上の如く、本発明によるオーディオ信号録音装置においては、ソース側から供給された録音用オーディオ信号を所定時間だけ遅延させて遅延オーディオ信号を得て、録音開始に応じてかかる録音開始から上述の所定時間の間に亘り、上述の遅延オーディオ信号にミュートを掛けて無音信号を生成してこれを記録媒体に記録すると共に、かかる所定時間の間に亘りインデックスナンバー信号を「０」としたサブコード信号を記録媒体に記録する構成としている。
【００２３】
よって、本発明によれば、録音開始と同時にソース側から録音用のオーディオ信号が供給されても、かかるオーディオ信号の前にインデックスナンバー信号「０」の曲間部分を自動的に記録することが出来る。従って、かかる記録媒体の演奏におけるインデックスサーチ操作においては、確実に所望曲の第１曲小節の頭出しを行うことが出来て好ましいのである。
【図面の簡単な説明】
【図１】ダビング録音の構成を示す図である。
【図２】本発明による録音装置の構成を示す図である。
【図３】本発明の録音装置による録音動作の一例を示す図である。
【図４】本発明の録音装置による初期録音サブルーチンフローである。
【主要部分の符号の説明】
２１  遅延回路
２３  ミュート回路
２６  遅延カウンタ
【図１】
0003674872.tif 000002
【図２】
0003674872.tif 000003
【図３】
0003674872.tif 000004
【図４】
0003674872.tif 000005